(57)【要約】【課題】  本発明は、ペン入力可能なコンピュータ等の情報処理装置に関し、特にペン収容部に関する。【解決手段】  ペン収容部７がペン挿入口５に連続して本体１の内部に設けられている。ペン収容部７はペン６の本体部が収容される本体収容部７ａおよびペン６のクリップが収容されるクリップ収容部７ｂを有している。クリップ収容部７ｂには第２の開口５ｂとは反対の一端にはペン６のクリップがクリップ収容部７ｂに収容された際、クリップの先端をキャッチするロック機構８が設けられている。ロック機構８には挿入されたクリップの先端をキャッチするための一対のキャッチャー８ａ，８ｂが設けられている。ペン挿入口５はペン６を挿入口５に挿入する際、ペン６の先端およびクリップの先端が案内部５ｃにより挿入口５方向に案内され、スムーズにペンをペン収容部７方向へ案内することができる。【選択図】  図３
2005108037.tif 000002
【特許請求の範囲】
【請求項１】
筐体と、
上記筐体内に設けられるとともに、本体部およびこの本体部に取り付けられたクリップを有するペンを収容可能なペン収容部と、
上記筐体に設けられるとともに、上記ペン収容部へペンを案内するペン挿入口と、
上記ペン収容部に設けられ、上記ペン挿入口を介して挿入されたペンのクリップ先端をロックすることで挿入されたペンを上記ペン収容部内にロックするロック機構と、
を具備することを特徴とする情報処理装置。
【請求項２】
上記ペン収容部は、上記ペンの本体部を収容する本体収容部と、上記ペンのクリップが収容されるクリップ収容部とを具備することを特徴とする請求項１記載の情報処理装置。
【請求項３】
上記ロック機構は上記クリップ収容部に設けられることを特徴とする請求項２記載の情報処理装置。
【請求項４】
上記ペン挿入口は、上記ペンの本体部が挿入可能な第１の開口と、上記ペンのクリップが挿入可能な第２の開口とを具備することを特徴とする請求項３記載の情報処理装置。
【請求項５】
上記ペン挿入口の縁部には上記ペンの本体部および上記クリップを上記ペン挿入口へ案内する案内部が形成されることを特徴とする請求項４記載の情報処理装置。
【請求項６】
上記案内部はテーパー状に形成されていることを特徴とする請求項５記載の情報処理装置。
【発明の詳細な説明】
【技術分野】
【０００１】
本発明は、ペン入力可能なコンピュータ等の情報処理装置に関し、特にペン収容部に関する。
【背景技術】
【０００２】
従来、タブレット等を有する手書き入力可能なコンピュータや、ＰＤＡ等の情報処理装置は、その手書き入力の為にスタイラスペン等を備えている。ペン先端にはペンの胴体よりも細く形成されている。このようなペンは、情報処理装置の筐体表面に形成された凹部に着脱自在に収容されたり、あるいは筐体側面に開口された挿入口を介して筐体内部の収容部に着脱自在に収容されている。
【特許文献１】特開平９−１１４５７４号公報  （例えば図３）
【発明の開示】
【発明が解決しようとする課題】
【０００３】
しかし、筐体表面に収容する場合は装置全体のデザインを損ねたり、筐体表面積画大きくなってしまうという欠点がある。また、筐体内部に収容する際は、ペンをペン先より挿入し、ペン先をプッシュプッシュ式のロック機構で摘むことでペンを収容部に固定している。このような場合、ペン先にはロック機構に係止されるために、ペン先の周囲に凹部あるいは凸部が形成されることとなり、ペン先が大きくなってしまう。このような場合、タブレット等への入力の際、ペン先が大きいため、細かいデータ入力、例えば作図、作絵等の細かい処理の場合は、画面に表示される表示データ（例えば線の幅等）の大きさとペン先の大きさとに違いが生じ、ユーザにとって使い勝手が好ましくないという問題を有していた。
【０００４】
そこで、本発明は、ユーザの使い勝手の良いペンを備えた情報処理装置の提供を目的とする。
【課題を解決するための手段】
【０００５】
上記目的を達成するために、請求項１に係る発明では、筐体と、上記筐体内に設けられるとともに、本体部およびこの本体部に取り付けられたクリップを有するペンを収容可能なペン収容部と、上記筐体に設けられるとともに、上記ペン収容部へペンを案内するペン挿入口と、上記ペン収容部に設けられ、上記ペン挿入口を介して挿入されたペンのクリップ先端をロックすることで挿入されたペンを上記ペン収容部内にロックするロック機構と、を具備することを特徴とする。
【発明の効果】
【０００６】
以上詳述した発明によれば、ペンの先端部を細い形状にすることが可能であり、タブレットへペン先端を当接する際、細かいデータ入力が可能となる。
【発明を実施するための最良の形態】
【０００７】
以下本発明に係る実施の形態を、図面を参照して説明する。
【０００８】
図１は、コンピュータの斜視図である。コンピュータは本体１およびこの本体１にヒンジ機構３を介して閉位置および開位置の間で回動可能な表示部２を有している。本体１の上面１ａにはキーボード４が搭載されている。本体１の側面１ｂには後述するペン挿入口５が開口されており、スタイラスペン６が後述するペン収容部に収容可能である。表示部２には図示しない液晶表示パネルおよび図示しないタブレットが収容されており、タブレットはペン６によりデータ入力が可能である。
【０００９】
図２は、ペン挿入口を示す側面図である。図２に示すようにペン挿入公は円形状に開口された第１の開口５ａおよび四角形状に開口された第２の開口５ｂにより形成されている。ペン挿入口５の第１および第２の開口の縁部は、本体１の側面１ｂより本体１の内部方向に傾斜する案内部５ｃが形成されている。第１の開口５ａは後述するペン６の本体部が挿入され、第２の開口５ｂには後述するペン６のクリップ部が挿入される。
【００１０】
図３は、ペン収容部の断面図である。図３に示すように、ペン収容部７がペン挿入口５に連続して本体１の内部に設けられている。ペン収容部７は、後述するペン６の本体部が収容される本体収容部７ａおよび後述するペン６のクリップが収容されるクリップ収容部７ｂとを有している。
【００１１】
本体収容部７ａはペン６の本体部とほぼ同じ長さを有している。クリップ収容部７ｂはペン６のクリップに長さよりも少し長く形成されており、クリップ収容部７ｂの第２の開口５ｂとは反対の一端にはペン６のクリップがクリップ収容部７ｂに収容された際、ペン６のクリップの先端をキャッチするロック機構８が設けられている。ロック機構８には挿入されたペン６のクリップの先端をキャッチするための一対のキャッチャー８ａ（後述するキャッチャー８ｂ）が設けられている。
【００１２】
ペン挿入口５はペン６を挿入口５に挿入する際、後述するペン６の先端およびクリップの先端が案内部５ｃにより挿入口５方向に案内され、スムーズにペンをペン収容部７方向へ案内することができる。
【００１３】
図４は、ペンをペン収容部に挿入する際の平面図であり、図５は、その断面図である。図４に示すようにペン６は本体部６ａを有している。先端にはタブレットへのデータ入力の際にタブレット当接するためのペン先６ｂが設けられる。ペン６の後端６ｃにはクリップ９が設けられる。このクリップ９はユーザがペン６を使用しないときに紙や衣服のポケットにペン６を取り付けておくものである。このクリップ９の後端９ａはペン６の後端６ｃに固定されている。クリップ９の先端９ｂは自由端となっており、クリップ９の中央部よりも幅広に形成されている。先端９ｂは幅広に形成されていることで、クリップ収容部７ｂに収容された際のキャッチャー８ａ，８ｂによるロックを容易にしている。図５に示すように、ペン６を、先端６ａをペン挿入口５の第１の開口５ａを介して、ペン収容部７方向に挿入する。このときペン６の本体部６ａは収容部７の本体収容部７ａ方向に挿入される。さらにペン６を挿入すると、クリップ９の先端がペン挿入口５の第２の開口５ｂを介してクリップ収容部７ｂ方向に挿入される。クリップ収容部７ｂに設けられているロック機構８は挿入されるクリップ９ｂと対向してクリップ収容部７ｂ内に設けられている。図４および図５に示すように、ロック機構８のキャッチャー８ａ，８ｂは図に示すように、ペン６が完全に収容部７に挿入されていないときは、互いに遠ざかるように開いた状態で待機している。
【００１４】
ロック機構８およびキャッチャー８ａ，８ｂは既存のプッシュプッシュ式のロック機構であり、一対のキャッチャーが開いている状態でロック機構８を一度押すと、キャッチャー８ａ，８ｂが互いに接近し。ロック機構を押した部材をキャッチしロックする機能を有し、さらにこの状態でロックされている部材をロック機構８方向に１度押すことでキャッチャー８ａ，８ｂを互いに遠ざかる、開いた状態にする。この状態でロックされていた部材がロック機構８よりリリース可能となる。ロック機構８のメカニズムの詳細については説明を省略する。
【００１５】
図６は、ペンをペン収容部に収容した際の平面図で、図７は、その断面図である。図６および図７に示すように、ペン６をペン収容部７の最後まで挿入すると、クリップ収容部７ｂに収容されたクリップ９の先端９ｂがロック機構８を押圧する。この動作により、クリップ９の先端がロック機構８の一対のキャッチャー８ａ，８ｂにキャッチされる。これにより、ペン６をペン収容部７に収容しこの状態にロックすることができる。この状態において、ペン６の後端６ｃはペン挿入口５よりも少し突出された状態となっている。これによりペン収容部７からペン６を取り出す際のペン６を一度収容部７方向へ押す作業が容易となる。しかし、コンピュータをかばん等にしまっている状態等において何か別のものが不用意にペン６の後端６ｃを押し、勝手にペン６のロックが解除され、収容部７よりペンが脱落することも考えられる。この場合はペン６の後端６ｃを挿入口５よりも本体１の内部方向に位置するようしてもよい。この場合、ユーザの指先端が少し挿入口５に入りペン６の後端６ｃを押すことができる程度になっている必要がある。
【００１６】
以上のような構成により、ペン収容部の奥行き方向に長さはほぼペンの長さに形成することができるため、ペン収容部の長さ方向を短くできる。さらにペンの先端をロック機構がキャッチする必要がないため、ペンの先端をなるべく小さく形成することが可能となる。
【００１７】
上記説明したペン収容部は本実施の形態においては本体側に設けられたが、表示部側に設けられてもよく、いずれかの筐体内に設けれれば良い。
【００１８】
本発明ではその主旨を逸脱しない範囲であれば、上記の実施形態に限定されるものではない。そして、ＰＤＡ、電子手帳等の情報処理装置に広く適用できるものである。
【図面の簡単な説明】
【００１９】
【図１】コンピュータの斜視図。
【図２】ペン挿入を示す側面図
【図３】ペン収容部の断面図
【図４】ペンをペン収容部に挿入する際の平面図。
【図５】ペンをペン収容部に挿入する際の断面図。
【図６】ペンをペン収容部に収容した際の平面図。
【図７】ペンをペン収容部に収容した際の断面図。
【符号の説明】
【００２０】
１…本体、２…表示部、３…ヒンジ機構、４…キーボード、５…ペン挿入口、５ａ…第１の開口、５ｂ…第２の開口、５ｃ…案内部、６…スタイラスペン、６ａ…本体部、６ｂ…先端、６ｃ…先端、７…ペン収容部、７ａ…本体収容部、７ｂ…クリップ収容部、８…ロック機構、８ａ、８ｂ…キャッチャー、９…
クリップ、９ａ…後端、９ｂ…先端
【図１】
2005108037.tif 000003
【図２】
2005108037.tif 000004
【図３】
2005108037.tif 000005
【図４】
2005108037.tif 000006
【図５】
2005108037.tif 000007
【図６】
2005108037.tif 000008
【図７】
2005108037.tif 000009